(57)【要約】【課題】無線区間の回線が途絶したときに、速やかに最適な伝送速度を得て、通信リソースを最適に使用することができる通信システムを提供する。【解決手段】サーバ２０から無線通信端末１０に対して、無線通信回線を介してコンテンツデータを送信する通信システムにおいて、サーバ２０は、無線通信端末から送信された受信状況情報及び／又は品質情報を受信する受信手段と、サーバからコンテンツデータを送信する符号化レートを決定する符号化レート決定手段と、を備え、該符号化レート決定手段は、無線通信端末との通信中は受信状況情報に基づいて符号化レートを決定し、無線通信端末との通信が途絶した後の通信再開時には品質情報に基づいて符号化レートを決定する。【選択図】  図２
2004153617.tif 000002
【特許請求の範囲】
【請求項１】
データ配信装置から無線通信端末に対して、無線通信回線を介してコンテンツデータを送信する通信システムにおいて、
前記無線通信端末は、
前記データ配信装置から送信されたデータの受信状況情報を前記データ配信装置に送信する受信状況情報送信手段と、
前記無線通信回線の品質を検出する検出手段と、
前記検出手段が検出した回線品質の情報を前記データ配信装置に送信する回線品質情報送信手段と、を備え、
前記データ配信装置は、
前記無線通信端末から送信された前記受信状況情報及び／又は前記品質情報を受信する受信手段と、
データ配信装置から前記コンテンツデータを符号化する符号化レートを決定する符号化レート決定手段と、を備え、
該符号化レート決定手段は、前記無線通信端末との通信中は前記受信状況情報に基づいて符号化レートを決定し、前記無線通信端末との通信が途絶した後の通信再開時には前記品質情報に基づいて符号化レートを決定することを特徴とする通信システム。
【請求項２】
前記無線通信端末は、前記無線通信回線が途絶すると、前記品質情報を前記データ配信装置に送信することを特徴とする請求項１に記載の通信システム。
【請求項３】
前記無線通信端末は、前記受信状況情報及び前記品質情報を、前記データ配信装置から送信されたデータに関する応答情報として前記データ配信装置に送信することを特徴とする請求項１又は２に記載の通信システム。
【請求項４】
前記無線通信端末は、前記無線通信回線を用いた通信が再開したときは、前記回線品質情報送信手段によって前記品質情報を前記データ配信装置に送信するとともに、その後、前記受信状況情報送信手段によって前記受信状況情報を前記データ配信装置に送信することを特徴とする請求項１から３のいずれか一つに記載の通信システム。
【請求項５】
前記データ配信装置は、前記受信手段によって受信した品質情報に基づいて符号化レートを決定した後に、前記受信手段が受信状況情報を受信したときは、前記符号化レート決定手段は、受信した受信状況情報に基づいて符号化レートを決定することを特徴とする請求項１から４のいずれか一つに記載の通信システム。
【請求項６】
データ配信装置から送信されたコンテンツデータを、無線通信回線を介して受信する無線通信端末において、
前記データ配信装置から送信されたデータの受信状況情報を前記データ配信装置に送信する受信状況情報送信手段と、
前記無線通信回線の品質を検出する検出手段と、
前記検出手段が検出した回線品質の情報を前記データ配信装置に送信する回線品質情報送信手段と、
前記受信状況情報又は前記回線品質情報に基づいて決定された符号化レートで送信されたコンテンツデータを受信する受信手段と、を備えることを特徴とする無線通信端末。
【請求項７】
前記無線基地局との間で設定された無線通信回線が途絶すると、前記品質情報を前記データ配信装置に送信することを特徴とする請求項６に記載の無線通信端末。
【請求項８】
前記受信状況情報及び前記品質情報を、前記データ配信装置から送信されたデータに関する応答情報として前記データ配信装置に送信することを特徴とする請求項６又は７に記載の無線通信端末。
【請求項９】
前記無線通信回線を用いた通信が再開したときは、前記回線品質情報送信手段から前記品質情報を前記データ配信装置に送信するとともに、その後、前記受信状況情報送信手段から前記受信状況情報を前記データ配信装置に送信することを特徴とする請求項６から８のいずれか一つに記載の無線通信端末。
【請求項１０】
コンテンツデータを無線通信端末に無線通信回線を介して送信するデータ配信装置において、
前記コンテンツデータの受信状況情報及び／又は前記無線通信回線の品質情報を前記無線通信端末から受信する受信手段と、
コンテンツデータを符号化するレートを決定する符号化レート決定手段とを備え、
該符号化レート決定手段は、前記無線通信端末との通信中は前記受信状況情報に基づいて符号化レートを決定し、前記無線通信端末との通信が途絶した後の通信再開時には前記品質情報に基づいて符号化レートを決定することを特徴とするデータ配信装置。
【請求項１１】
前記受信手段により受信した品質情報に基づいて符号化レートを決定した後、前記受信手段が前記受信状況情報を受信したときは、前記符号化レート決定手段は、前記受信状況情報に基づいて符号化レートを決定することを特徴とする請求項１０に記載のデータ配信装置。
【請求項１２】
データ配信装置から前記無線通信端末に無線通信回線を介してコンテンツデータを送信する通信方法において、
前記無線通信端末は、前記データ配信装置から送信されたデータの受信状況情報を前記データ配信装置に送信し、
前記データ配信装置は、前記無線通信端末との通信中は、前記受信状況情報に基づいて前記コンテンツデータの符号化レートを決定し、
前記無線通信端末との間の通信が途絶した後の通信再開時に、前記品質情報を前記データ配信装置に送信し、前記データ配信装置は該品質情報に基づいて前記コンテンツデータの符号化レートを決定することを特徴とする通信方法。
【請求項１３】
前記無線通信端末は、前記無線通信回線が途絶すると、前記品質情報を前記データ配信装置に送信することを特徴とする請求項１２に記載の通信方法。
【請求項１４】
前記無線通信端末は、前記データ配信装置との通信中も、前記受信状況情報及び前記品質情報を、前記データ配信装置から送信されたデータに関する応答情報として前記データ配信装置に送信することを特徴とする請求項１２又は１３に記載の通信方法。
【請求項１５】
前記無線通信端末は、前記無線通信回線を用いた通信が再開したときは、前記品質情報を前記データ配信装置に送信するとともに、その後、前記受信状況情報を前記データ配信装置に送信することを特徴とする請求項１２から１４のいずれか一つに記載の通信方法。
【請求項１６】
前記データ配信装置は、前記受信手段によって受信した品質情報に基づいて符号化レートを決定した後に受信状況情報を受信したときは、受信した受信状況情報に基づいて符号化レートを決定することを特徴とする請求項１２から１５のいずれか一つに記載の通信方法。
【発明の詳細な説明】
【０００１】
【発明が属する技術分野】
本発明は、データ通信を行う無線通信システムに関し、特に無線区間の伝送レートを変化させることができる無線通信システムに関する。
【０００２】
【従来の技術】
近年、移動通信網でも通信回線の伝送容量が増大し、従来のメールのようなテキストデータやＷＷＷデータだけでなく、静止画像などデータ量の大きいデータも伝送されるようになった。今後はさらにデータ量が大きくリアルタイム性のあるデータ（例えば、ビデオのような動画像データ）も流通していくと考えられる。
【０００３】
動画像データの配信方法としてストリーミング技術を用いた方法があり、ストリーミング中のデータ再生のリアルタイム性を確保するため、データ転送プロトコルとしてＲＦＣ１８８９で規定されるＲＴＰ（Ｒｅａｌｔｉｍｅ  Ｔｒａｎｓｐｏｒｔ  Ｐｒｏｔｃｏｌ）とその制御プロトコルであるＲＴＣＰ（ＲＴＰ  Ｃｏｎｔｒｏｌ  Ｐｒｏｔｃｏｌ）が使用される。ストリーミングサーバではこのＲＴＣＰ情報を使用することによりクライアント側の受信レートの予測が可能となり、これを用いてサーバの送信レートを制御する可変レート制御方法によるストリーミングが行われる。そして、情報を送信する際、受信側端末からのＲＴＣＰデータに基づいて、送信レートを徐々に上げるように送信レートを制御する技術が知られている。
【０００４】
また、基地局から無線通信端末への下り回線の伝送効率を高める技術として１ｘＥＶ−ＤＯ（１ｘ  Ｅｖｏｌｕｔｉｏｎ  Ｄａｔａ  Ｏｎｌｙ）システムを使用した高速パケット通信ネットワークが提案されている。１ｘＥＶ−ＤＯ方式では、無線通信端末は基地局が送信するパイロット信号に基づくＣＩＲ（希望波対干渉波比）等により通信品質を推定し、通信可能な伝送レートを求める。そして、この伝送レートに基づいて変調方式の組み合わせである通信モードを選択し、基地局に送信する。基地局は、各無線通信端末から受信した通信モードに基づいてスケジューリングを行い、無線通信端末毎に伝送レートを設定する。基地局はシステム全体としての伝送効率の向上を考慮して、通信可能な伝送レートが高い無線通信端末に優先的に通信リソースを割り当てる。
【０００５】
【特許文献１】
特開平１１−３４１０６４号公報
【０００６】
【発明が解決しようとする課題】
しかしながら、無線通信回線を使用したストリーミングデータの伝送において、サーバからの送信レートを制御する場合に、クライアント端末とサーバとの間のデータの送受信に基づく情報を含んでクライアント端末からのフィードバック情報（受信レポート）を使用するため、電波状態が悪化したり、予期せぬ基地局からの電波の遮断（例えば、クライアント端末がトンネルやビル陰や入ることによる電波断）が発生した場合に、クライアント端末とサーバとの間でデータが送受信されないと、受信レートが０になってしまうため、フィードバック情報に基づいてサーバとクライアント端末との間の通信回線の帯域の変動を予測することができないという問題がある。
【０００７】
また、無線区間の伝送レートを定めるのに用いられる情報であるＤＲＣ（ＤａｔａＲａｔｅ  Ｃｏｎｔｒｏｌ）を使ってサーバの送信レートを制御する場合、通信の立ち上がり時にすぐに最適レートに決定される。しかし、当該無線基地局に複数のクライアント端末が接続しているときには、無線基地局が複数のクライアント端末に帯域を配分するスケジューリング処理によって無線区間の伝送レートが変動するために、クライアント端末が無線基地局に要求したＤＲＣに規定されるレートより低いレートでしか通信が行えないことが多く、常にクライアント端末はＤＲＣに基づくレートが最適レートであるとは限らないという問題がある。
【０００８】
本発明は、無線区間の回線が途絶したときに、速やかに最適な伝送速度を得て、通信リソースを最適に使用することができる通信システムを提供することを目的とする。
【０００９】
【課題を解決するための手段】
第１の発明は、データ配信装置から無線通信端末に対して、無線通信回線を介してコンテンツを送信する通信システムにおいて、前記無線通信端末は、前記データ配信装置から送信されたデータの受信状況情報を前記データ配信装置に送信する受信状況情報送信手段と、前記無線通信回線の品質を検出する検出手段と、前記検出手段が検出した回線品質の情報を前記データ配信装置に送信する回線品質情報送信手段と、を備え、前記データ配信装置は、前記無線通信端末から送信された前記受信状況情報及び／又は前記品質情報を受信する受信手段と、データ配信装置から前記コンテンツデータを符号化する符号化レートを決定する符号化レート決定手段と、を備え、該符号化レート決定手段は、前記無線通信端末との通信中は前記受信状況情報に基づいて符号化レートを決定し、前記無線通信端末との通信が途絶した後の通信再開時には前記品質情報に基づいて符号化レートを決定することを特徴とする。
【００１０】
第２の発明は、第１の発明において、前記無線通信端末は、前記無線通信回線が途絶すると、前記品質情報を前記データ配信装置に送信することを特徴とする。
【００１１】
第３の発明は、第１又は第２の発明において、前記無線通信端末は、前記受信状況情報及び前記品質情報を、前記データ配信装置から送信されたデータに関する応答情報として前記データ配信装置に送信することを特徴とする。
【００１２】
第４の発明は、第１〜第３の発明において、前記無線通信端末は、前記無線通信回線を用いた通信が再開したときは、前記回線品質情報送信手段によって前記品質情報を前記データ配信装置に送信するとともに、その後、前記受信状況情報送信手段によって前記受信状況情報を前記データ配信装置に送信することを特徴とする。
【００１３】
第５の発明は、第１〜第４の発明において、前記データ配信装置は、前記受信手段によって受信した品質情報に基づいて符号化レートを決定した後に、前記受信手段が受信状況情報を受信したときは、前記符号化レート決定手段は、受信した受信状況情報に基づいて符号化レートを決定することを特徴とする。
【００１４】
第６の発明は、データ配信装置から送信されたコンテンツデータを、無線通信回線を介して受信する無線通信端末において、前記データ配信装置から送信されたデータの受信状況情報を前記データ配信装置に送信する受信状況情報送信手段と、前記無線通信回線の品質を検出する検出手段と、前記検出手段が検出した回線品質の情報を前記データ配信装置に送信する回線品質情報送信手段と、前記受信状況情報又は前記回線品質情報に基づいて決定された符号化レートで送信されたコンテンツデータを受信する受信手段と、を備えることを特徴とする。
【００１５】
第７の発明は、第６の発明において、前記無線基地局との間で設定された無線通信回線が途絶すると、前記品質情報を前記データ配信装置に送信することを特徴とする。
【００１６】
第８の発明は、第６又は第７の発明において、前記受信状況情報及び前記品質情報を、前記データ配信装置から送信されたデータに関する応答情報として前記データ配信装置に送信することを特徴とする。
【００１７】
第９の発明は、第６〜第８の発明において、前記無線通信回線を用いた通信が再開したときは、前記回線品質情報送信手段から前記品質情報を前記データ配信装置に送信するとともに、その後、前記受信状況情報送信手段から前記受信状況情報を前記データ配信装置に送信することを特徴とする。
【００１８】
第１０の発明は、コンテンツデータを無線通信端末に無線通信回線を介して送信するデータ配信装置において、前記コンテンツデータの受信状況情報及び／又は前記無線通信回線の品質情報を前記無線通信端末から受信する受信手段と、コンテンツデータを符号化レートを決定する符号化レート決定手段とを備え、該符号化レート決定手段は、前記無線通信端末との通信中は前記受信状況情報に基づいて符号化レートを決定し、前記無線通信端末との通信が途絶した後の通信再開時には前記品質情報に基づいて符号化レートを決定することを特徴とする。
【００１９】
第１１の発明は、第１０の発明において、前記受信手段により受信した品質情報に基づいて符号化レートを決定した後、前記受信手段が前記受信状況情報を受信したときは、前記符号化レート決定手段は、前記受信状況情報に基づいて符号化レートを決定することを特徴とする。
【００２０】
第１２の発明は、データ配信装置から前記無線通信端末に無線通信回線を介してコンテンツデータを送信する通信方法において、前記無線通信端末は、前記データ配信装置から送信されたデータの受信状況情報を前記データ配信装置に送信し、前記データ配信装置は、前記無線通信端末との通信中は、前記受信状況情報に基づいて前記コンテンツデータの符号化レートを決定し、前記無線通信端末との間の通信が途絶した後の通信再開時に、前記品質情報を前記データ配信装置に送信し、前記データ配信装置は該品質情報に基づいて前記コンテンツデータの符号化レートを決定することを特徴とする。
【００２１】
第１３の発明は、第１２の発明において、前記無線通信端末は、前記無線通信回線が途絶すると、前記品質情報を前記データ配信装置に送信することを特徴とする。
【００２２】
第１４の発明は、第１２又は第１３の発明において、  前記無線通信端末は、前記データ配信装置との通信中も、前記受信状況情報及び前記品質情報を、前記データ配信装置から送信されたデータに関する応答情報として前記データ配信装置に送信することを特徴とする。
【００２３】
第１５の発明は、第１２〜第１４の発明において、前記無線通信端末は、前記無線通信回線を用いた通信が再開したときは、前記品質情報を前記データ配信装置に送信するとともに、その後、前記受信状況情報を前記データ配信装置に送信することを特徴とする。
【００２４】
第１６の発明は、第１２〜第１５の発明において、前記データ配信装置は、前記受信手段によって受信した品質情報に基づいて符号化レートを決定した後に受信状況情報を受信したときは、受信した受信状況情報に基づいて符号化レートを決定することを特徴とする。
【００２５】
【発明の実施の形態】
次に、本発明の実施の形態について図面を参照して説明する。
【００２６】
図１は、本発明の実施の形態の無線通信システムの構成を示すブロック図である。
【００２７】
クライアント端末１０は、無線基地局３０及びネットワーク（ＩＰネットワーク等）４０を介して、リアルタイム性を持ったコンテンツデータ（動画像、静止画、音楽、音声、字幕等）を送信するデータ配信装置（ストリーミングサーバ）２０に接続されている。
【００２８】
クライアント端末１０は、データ通信に対応する携帯電話機や、ＰＤＡ（Ｐｅｒｓｏｎａｌ  Ｄｉｇｉｔａｌ  Ａｓｓｉｓｔａｎｔｓ）や、無線機を内蔵したデータ通信カードが付加されたコンピュータ装置等の無線通信端末である。このクライアント端末１０は、無線基地局３０からの電波（下りの信号）を受信し、無線基地局３０に対し電波（上りの信号）を送信するアンテナ１１を有し、該アンテナ１１は無線部１２に接続されている。無線部１２は送信部及び受信部によって構成され、送信部はアンテナ１１から送信する高周波信号を生成し、受信部はアンテナ１１で受信した高周波信号に増幅、周波数変換等をして、ベースバンド信号として送受信部１３に出力する。
【００２９】
送受信部１３は変復調回路及びＣＯＤＥＣ部を含んで構成されており、復調回路によってベースバンド信号を復調する。復調された信号はＣＯＤＥＣ部に送られ、ＣＯＤＥＣ部にてデータ信号に復号される。また、ＣＯＤＥＣ部はデータ信号を符号化し、符号化された信号は送受信部１３に送られ、変調される。変調された信号は、送信部にて高周波信号に変換され、アンテナ１１から送信される。
【００３０】
送受信部１３には、受信バッファ１４が接続されており、クライアント端末１０が受信したストリーミングデータを一時的に記憶して、短時間の伝送レートの低下、回線の切断等があっても、ストリーミングデータが途切れることなく再生されるようにしている。受信バッファ１４から読み出されたデータは、復号部１５に送られ、ＭＰＥＧ等の動画像ファイルとして符号化されたデータを映像信号に復号する。そして、復号された映像データは表示部１６に表示され、コンテンツデータ（例えば、動画像データ）が再生される。
【００３１】
制御部１７は、無線部１２、送受信部１３、受信バッファ１４、復号部１５等のクライアント端末１０の各部を制御する。具体的には、無線部１２に対してチャネルを指定して送受信周波数や、送受信タイミングを制御する。また、所定の通信プロトコルに従って、クライアント端末１０と無線基地局３０との間の無線通信回線の設定、解放、位置登録等の各種制御信号を生成し、これらの信号の送受信を制御する。
【００３２】
さらに、本発明の実施の形態では、無線通信網は１ｘＥＶ−ＤＯ網なので、クライアント端末１０は、無線基地局３０から送信された信号（例えば、パイロット信号、制御パケット等）を受信して求めたＣＩＲに基づいて、効率よくデータ通信を行うことができるものとして選択された通信モードを示す信号であるＤＲＣ情報を無線通信回線品質情報として無線基地局３０に対して送信する。よって、制御部１７は受信信号から求めたＣＩＲを取得して、予め記憶された変換テーブルを参照して、伝送レートを決定する。そして決定された伝送レートに基づいてＤＲＣ情報を生成して、無線部１２に送る。このように、無線部１２によって回線品質を検出する検出手段が構成される。また、制御部１７及び無線部１２等によって回線品質情報送信手段が構成される。
【００３３】
また、制御部１７は、ストリーミングサーバ２０から送信されたデータのパケットを監視しており、パケットロス率、ロスパケット数、受信したパケットのシーケンス番号の最大値、到着間隔ジッタ等を含む受信レポート（ＲＲ）を、データの受信状況情報としてストリーミングサーバ２０に送信する。このように、制御部１７及び無線部１２等によって、受信状況情報送信手段が構成される。
【００３４】
また、制御部１７は、復号部１５に対して、復号のための情報を指示する。
【００３５】
無線基地局３０は、無線部に接続されたアンテナ３１を有しており、クライアント端末１０からの電波（上りの信号）を受信し、クライアント端末１０に対し電波（下りの信号）を送信する。無線部は送信部及び受信部によって構成され、送信部はアンテナ３１から送信する高周波信号を生成し、受信部はアンテナ３１で受信した高周波信号に増幅、周波数変換等をして、ベースバンド信号として送受信部に出力する。
【００３６】
送受信部は変復調回路及びＣＯＤＥＣ部を含んで構成されており、変復調回路によってベースバンド信号を復調する。復調された信号は、ＣＯＤＥＣ部に送られ、ＣＯＤＥＣ部にてデータ信号に復号される。ＣＯＤＥＣ部はデータ信号を符号化し、符号化された信号は送受信部に送られ、変調される。変調された信号は、送信部にて高周波信号に変換され、アンテナ３１から送信される。
【００３７】
送受信部にはインターフェース部が接続されており、無線基地局３０は、該インターフェース部を介してインターネット等のネットワーク４０に接続されている。
【００３８】
また、無線基地局３０は、無線基地局３０の各部（無線部、送受信部、インターフェース部等）を制御する制御部を備える。具体的には、この制御部は、無線部に対してチャネルを指定して送受信周波数や、送受信タイミングを制御する。また、クライアント端末からの接続要求に対して、その接続の許否及びクライアント端末の接続数を制御する。
【００３９】
さらに、本発明の実施の形態では、無線通信網は１ｘＥＶ−ＤＯ網なので、クライアント端末１０から送信された無線通信回線の品質情報及び接続されているクライアント端末数に基づいて、各クライアントに割り当てるデータ通信の帯域幅を決定し、各クライアント端末１０に対する無線通信回線の伝送レートを決定する。
【００４０】
すなわち、無線基地局３０の制御部及び無線部によって、クライアント端末１０から送信された無線通信回線品質情報（ＤＲＣ情報）を受信する回線品質情報受信手段が構成され、制御部によって、無線通信回線のデータ伝送レートを決定する伝送レート決定手段が構成されている。
【００４１】
データ配信装置は、動画像データ等のコンテンツデータを無線通信端末に送信（配信）する装置であり、動画像データ等を記憶している。データ配信装置はサービス提供側の装置であって、例えば、サーバ等のコンピュータ装置であり、本実施の形態ではサーバとして説明する。なお、動画像データ等のコンテンツを記憶している記憶装置はサーバ内に設けられていてもサーバ外に設けられていてもよい。
【００４２】
ストリーミングサーバ２０は、クライアント端末１０にデータを送信するコンピュータ装置である。ストリーミングサーバ２０は、記憶装置（ストレージ装置、ハードディスク等）に映像ソース２１を記憶している。この映像ソースは記憶装置から読み出されて、符号化部２２に送られる。符号化部２２では、該映像ソースをＭＰＥＧ等の動画像符号化規格に基づいて符号化して、送信部２３に送る。送信部２３では、通信プロトコルに基づいて符号化されたデータをパケット化してネットワーク４０に送信する。
【００４３】
レート予測部２４は、ストリーミングサーバ２０から送信するデータのレートを予測して、データの符号化レートを決定する。すなわち、本発明では、クライアント端末１０は、ストリーミングサーバ２０から送信されたデータの受信状況情報として、パケットロス率、ロスパケット数、受信したパケットのシーケンス番号の最大値、到着間隔ジッタ等を含む受信レポートをストリーミングサーバ２０に送信する。また、クライアント端末１０は、クライアント端末１０と無線基地局３０との間の無線通信回線の品質情報としてＤＲＣ情報をストリーミングサーバ２０に送信する。そして、ストリーミングサーバ２０は、受信した受信レポート（受信状況情報）及びＤＲＣ情報（回線品質情報）に基づいて、ストリーミングサーバ２０からのデータ符号化レートを決定する。
【００４４】
制御部２５は、符号化部２２、送信部２３等のストリーミングサーバ２０の各部を制御する。具体的には、レート予測部２４からデータ符号化レートを受け取り、符号化レートに合致した符号化方法、符号化のための情報（例えば、ＤＣＴ係数、量子化係数等）を符号化部２２に指示する。また、送信部２３から送信されるパケット数を制御する。なお、符号化レートを決定する方法は、異なるレートで既に符号化されたコンテンツの一つを選択する方法でもよい。
【００４５】
図２は、本発明の第１の実施の形態の通信システムのシーケンス図である。
【００４６】
クライアント端末１０とストリーミングサーバ２０との間にセッションを設定する際に、クライアント端末１０からセッション要求するセッション要求信号が送信され、ストリーミングサーバ２０からはセッションを許可するセッション許可信号が送信される。その後、クライアント端末１０がセッション許可信号を受信したときの希望波対干渉波比から通信モードを選択し、ＤＲＣ情報を送信する。
【００４７】
ストリーミングサーバ２０は、受信したＤＲＣ情報からクライアント端末１０が受信するのに最適なレートを決定し、ＤＲＣ情報から決定したレートをストリーミングサーバ２０からのデータの符号化レートの初期値として設定する。
【００４８】
ストリーミングサーバ２０は、クライアント端末１０から送信されたデータ送信開始要求信号（ＰＬＡＹ）を受信すると、ＭＰＥＧ等の規格に従って符号化された映像データや音声データを送信する。このとき、ストリーミングサーバ２０からのデータの符号化レートは、受信したＤＲＣ情報から決定されたレートである。
【００４９】
そして、ストリーミングサーバ２０は、所定のタイミングで送信レポートをクライアント端末１０に送信する。この送信レポートに対して、クライアント端末１０は受信レポートをストリーミングサーバ２０に送信して、ストリーミングサーバ２０から送信されたデータの受信状況を報告する。
【００５０】
ストリーミングサーバ２０は、受信レポートを受信すると、受信レポートとして、次に送信するデータの符号化レート（映像データや音声データの場合は符号化ビットレート、テキストデータの場合はビットレートなど）を決定する。なお、データの符号化レートは、既に符号化されたコンテンツの一つを選択したり、決定されたレートでコンテンツを符号化することによって決定される。
【００５１】
ここで、無線通信回線が遮断され（この無線通信回線の遮断は、クライアント端末１０がトンネルやビル陰に入って、無線基地局３０からの電波を受信することができなくなった場合等である）、ストリーミングサーバ２０から送信されるデータがクライアント端末１０に届かない状態となったら、クライアント端末１０がデータを受信しないので、受信レポートとしてストリーミングサーバ２０に送信されるデータの受信状況情報は最低値となる。また、クライアント端末１０には送信レポートも届かないので、クライアント端末１０が受信レポートを返信することもない。
【００５２】
クライアント端末１０は、ストリーミングサーバ２０からのデータの到達状況をタイマを用いて監視し、ストリーミングサーバ２０からのデータが所定時間到達しないときは、クライアント端末１０とストリーミングサーバ２０との間の通信が途絶（無線断）したと判定する。
【００５３】
そして、無線通信回線が回復すると、クライアント端末１０は無線基地局３０から送信されたパイロット信号を受信して、ＣＩＲを算出し、該ＣＩＲから通信モードを選択して、ＤＲＣ情報を送信する。
【００５４】
ストリーミングサーバ２０は、受信したＤＲＣ情報からクライアント端末１０が受信するのに最適なレートを算出し、ＤＲＣ情報から決定したレートをストリーミングサーバ２０からのデータの符号化レートとして設定する。そして、ストリーミングサーバ２０は、クライアント端末１０に対するデータの送信を再開する。
【００５５】
そして、データの送信の再開後は、再び、受信レポートを使用して、データの符号化レートを決定する。
【００５６】
図３は、本発明の第２の実施の形態の通信システムのシーケンス図である。
【００５７】
クライアント端末１０とストリーミングサーバ２０との間にセッションを設定する際に、クライアント端末１０からセッション要求するセッション要求信号が送信され、ストリーミングサーバ２０からはセッションを許可するセッション許可信号が送信される。その後、クライアント端末１０がセッション許可信号を受信したときの希望波対干渉波比から通信モードを選択し、ＤＲＣ情報を送信する。
【００５８】
ストリーミングサーバ２０は、受信したＤＲＣ情報からクライアント端末１０が受信するのに最適なレートを算出し、ＤＲＣ情報から決定したレートをストリーミングサーバ２０からのデータの符号化レートの初期値として設定する。
【００５９】
ストリーミングサーバ２０は、クライアント端末１０から送信されたデータ送信開始要求信号（ＰＬＡＹ）を受信すると、ＭＰＥＧ等の規格に従って符号化された映像データや音声データを送信する。このとき、ストリーミングサーバ２０からのデータの符号化レートは、受信したＤＲＣ情報から決定されたレートである。
【００６０】
そして、ストリーミングサーバ２０は、所定のタイミングで送信レポートをクライアント端末１０に送信する。この送信レポートに対して、クライアント端末１０は受信レポートをストリーミングサーバ２０に送信して、ストリーミングサーバ２０から送信されたデータの受信状況を報告する。第２の実施の形態では、受信レポートにデータの受信状況情報の他に、無線通信回線品質を表すＤＲＣ情報が含まれている（図４参照）。
【００６１】
ストリーミングサーバ２０は、受信レポートを受信すると、受信状況情報を抽出して、次に送信するデータの符号化レートを決定する。
【００６２】
ここで、無線通信回線が遮断され（この無線通信回線の遮断は、クライアント端末１０がトンネルやビル陰に入って、無線基地局３０からの電波を受信することができなくなった場合等である）、ストリーミングサーバ２０から送信されるデータがクライアント端末１０に届かない状態となったら、クライアント端末１０がデータを受信しないので、受信レポートとしてストリーミングサーバ２０に送信されるデータの受信状況情報は最低値となる。
【００６３】
クライアント端末１０は、ストリーミングサーバ２０からのデータの到達状況をタイマを用いて監視し、ストリーミングサーバ２０からのデータが所定時間到達しないときは、クライアント端末１０とストリーミングサーバ２０との間の通信が途絶したと判定する。
【００６４】
そして、無線通信回線が回復すると、クライアント端末１０は、ストリーミングサーバ２０に対して受信レポートを送信する。このとき送信される受信レポートに含まれる受信状況情報は最低値となっているが、無線通信回線品質を表すＤＲＣ情報は、直近に無線基地局３０から送信された信号（例えば、パイロット信号、制御パケット等）から算出されたＣＩＲに基づいて選択されたものである。
【００６５】
ストリーミングサーバ２０は、受信した受信レポートからＤＲＣ情報を抽出し、クライアント端末１０が受信するのに最適なレートを算出し、ＤＲＣ情報から決定したレートをストリーミングサーバ２０からのデータの符号化レートとして設定する。そして、ストリーミングサーバ２０は、クライアント端末１０に対するデータの送信を再開する。
【００６６】
そして、データの送信の再開後は、再び、受信レポートに含まれる受信状況情報を使用して、データの符号化レートを決定する。
【００６７】
図４は、本発明の第２の実施の形態の受信レポートのフォーマット図である。
【００６８】
本発明の第２の実施の形態の受信レポートは、ヘッダ情報１０１に続いて、受信状況情報１０２及びＤＲＣ情報１０３を含んでいる。
【００６９】
受信状況情報１０２は、前述した受信レポートと同様に、ストリーミングサーバ２０から送信されたデータの受信状況情報として、パケットロス率、ロスパケット数、受信したパケットのシーケンス番号の最大値、到着間隔ジッタ等、受信レポートに通常含まれる情報が含まれている。また、ＤＲＣ情報１０３は、無線基地局３０から送信された信号のＣＩＲに基づいて選択された通信モードが含まれている。
【００７０】
図５は、無線通信回線の遮断−回復時の、クライアント端末１０とストリーミングサーバ２０との間のデータレートの変化を示す図表である。
【００７１】
無線通信回線が遮断されると、データの伝送レートは急激に低下する。
【００７２】
従来技術によると、無線通信回線が回復したときに、クライアント端末１０から送信される受信レポートのデータの受信状況情報は最低値となっているので、最低値のデータレートを初期値（点Ｂ）として、ストリーミングサーバ２０はデータの送信を開始する。そして、ＲＦＣ１８９０に規定されたＲＴＣＰの手順に従った受信レポートを用いて徐々に伝送レートを上昇させていく（破線で示す）。
【００７３】
一方、本発明によると、無線通信回線が回復したときに、クライアント端末１０から送信されたＤＲＣ情報によって定められた、無線通信回線品質に応じたデータレートを初期値（点Ａ）として、ストリーミングサーバ２０はデータの送信を開始する。そして、受信レポートを用いて徐々に伝送レートを上昇させていく（実線で示す）。
【００７４】
【発明の効果】
第１の発明では、通信中は受信状況情報に基づいて符号化レートを決定し、無線断等によって通信が途絶した後の通信再開時には無線通信端末が検出する回線品質情報に基づいて符号化レートを決定することで、通信中のデータの符号化レート及び通信立ち上がり時のデータの符号化レートを向上させることができるので、常にネットワークの状況に応じた適切な符号化レートを設定することができる。
【００７５】
第２の発明では、前記無線通信端末は、前記無線基地局との間で設定された無線通信回線が途絶すると、前記品質情報を前記データ配信装置に送信するので、再開時の通信立ち上がり時のデータ符号化レートの予測精度を向上させることができる。
【００７６】
第３の発明では、受信レポートに無線通信回線品質情報を含めて送信するので、データ伝送時に送受信されるメッセージ（制御信号）を増加させることがなく、トラフィックの増加を抑制することができる。
【００７７】
第４の発明では、通信再開後に、無線通信端末から受信状況を受信した後は、該受信状況に基づいてデータ符号化レートを決定することで、通信中は実効レートに合わせた送信に切り替えることができる。
【図面の簡単な説明】
【図１】本発明の実施の形態の無線通信システムの構成を示すブロック図である。
【図２】本発明の第１の実施の形態の通信システムのシーケンス図である
【図３】本発明の第２の実施の形態の通信システムのシーケンス図である
【図４】本発明の第２の実施の形態の受信レポートのフォーマット図である。
【図５】無線通信回線の遮断−回復時のデータレートの変化を示す図表である。
【符号の説明】
１０  クライアント端末
１１  アンテナ
１２  無線部
１３  送受信部
１４  受信バッファ
１５  復号部
１６  表示部
１７  制御部
２０  ストリーミングサーバ
２１  映像ソース
２２  符号化部
２３  送信部
２４  レート予測部
２５  制御部
３０  無線基地局
３１  アンテナ
４０  ネットワーク
【図１】
2004153617.tif 000003
【図２】
2004153617.tif 000004
【図３】
2004153617.tif 000005
【図４】
2004153617.tif 000006
【図５】
2004153617.tif 000007